(57)【要約】【課題】箱蓋を画架として使用できる画材箱に関し、画架の組立や収納操作が簡単で、箱の寸法より大きなカンバスを取り付けることができ、持ち運び時に衣服やバッグを汚すことがない画材箱を提供する。【解決手段】箱本体と、箱蓋と、スライド体と、箱蓋を所望角度で保持する支え材とを備える。箱本体は、その長手方向を使用時における前後方向とする平面矩形の偏平な箱で、箱蓋は箱本体の後縁に枢着されている。スライド体は、箱本体の側辺又は底面に設けた前後方向のガイドに案内されて箱本体の後方に移動可能である。支え材の後端（基端）は、スライド体の後端に枢着され、前端（先端）は、箱蓋の前後方向の中間位置に枢着されている。【選択図】図３
2014210392.tif 000002
【特許請求の範囲】
【請求項１】
上面開口を備えた箱本体と、この箱本体の後縁に当該後縁と平行な軸回りに枢着された箱蓋と、箱本体の側辺又は底面に設けた前後方向のガイドに沿って後方に移動可能なスライド体と、スライド体の後端に基端を箱本体の後縁と平行な軸回りに揺動可能に枢着された支え材とを備え、
前記支え材の先端が前記後縁と平行な軸回りに揺動可能に前記箱蓋の前後方向中間部に枢支連結され、前記箱蓋により、又は前記箱蓋と箱本体側に倒伏した前記支え材とにより、箱本体の上面開口が閉鎖される、画材箱。
【請求項２】
前記箱蓋に、先端に箱本体側に突出する押さえ鍔を有する昇降杆が、前記箱蓋の前後方向に摺動自在に設けられている、請求項１記載の画材箱。
【請求項３】
前記昇降杆が、箱蓋の天板と当該天板上に固着した箱蓋の前後方向に細長いガイド杆との間に形成されたガイド孔に摺動自在に挿通され、前記支え材の先端が当該ガイド杆の基端に枢支連結されている、請求項２記載の画材箱。
【請求項４】
前記箱蓋の後縁が、前記箱本体の前縁板及び両側面板の高さより低い位置で箱本体の後縁に枢着されている、請求項１記載の画材箱。
【請求項５】
前記スライド体が、箱本体の後縁より後方に位置する蝶番取付台を備え、前記支え材の基端が、箱本体と箱蓋との枢着位置より高い位置で、この蝶番取付台の上縁に枢着されている、請求項１又は４記載の画材箱。
【発明の詳細な説明】
【技術分野】
【０００１】
この発明は、絵の具、パステル、クレヨンなどの画材を入れて持ち運ぶ画材箱に関するもので、スケッチブックやンバスを立てる折り畳み式の画架を備えた画材箱に関するものである。
【背景技術】
【０００２】
不使用時に箱の上面を塞ぐように折畳まれる画架を備えた画材箱は公知である。この種の画材箱は、通常、板状の画架の下縁を画材箱の上面前縁（絵を描くために箱を机上に置いた状態での箱上面の使用者側）に蝶番で連結した構造をしており、画材の収納部が引出し式に手前に引き出せるようになっている。使用者は、画材箱を机上に置き、画架と支え材を起こしてねじで画架の角度を固定し、起立した画架の手前面にカンバスやスケッチブックを取り付け、引出しを手前側に引き出して使用する。
【０００３】
起立した画架を支える支え材は、通常画架の両側に付いているので、画架の角度を固定するのに摘み付きのねじを２個ねじ込まねばならない。また、カンバスやスケッチブックは、画架の下縁と上縁に取り付けられた受け鍔と押さえ鍔とで上下方向に挟んで取り付けられる。この取り付けのために、画架上縁の押さえ鍔は、昇降自在に設けられている。
【０００４】
従来の上記構造の画材箱は、箱が重く、かつ寸法も大きい。また、画架を折畳んだとき、カンバスやスケッチブックを取り付けるための受け鍔や押さえ鍔が箱の外側（机上に置いたときの上方）に出っ張ったままとなるので、鞄等に入れるときにこの出っ張りが邪魔になる。また、絵を描き始める際や描き終った際の組立や収納操作が面倒である。更に画架の下縁の受け鍔は、絵の具が付着して汚れるが、折畳んだとき、この汚れた受け鍔が箱の外側に出っ張った状態でむき出しになるので、この汚れが衣服などに付着しやすい。
【０００５】
一方、画材箱の箱蓋を箱の後縁（絵を描くために机上に置いた状態での反使用者側の縁）に蝶番で連結して、箱蓋を斜めに立てて画架とする画材箱も実用されている。この構造の画材箱は、箱蓋を開いてその箱蓋の内側に嵌め込むようにカンバスやスケッチブックを取り付けて、すぐに描き始めることができる。
【０００６】
しかし、この構造の画材箱は、箱蓋の起立姿勢を保持するために、ストッパを蝶番の近くに設けなければならないが、このストッパに大きな力がかかり、また机上に置いただけでは絵を描いている途中で箱が後方に転倒しやすい。そのため、使用するカンバスやスケッチブックの大きさが箱の平面程度の大きさに制限され、それより大きなカンバスやスケッチブックを取り付けることができない。
【発明の概要】
【発明が解決しようとする課題】
【０００７】
この発明は、開いた箱蓋を画架として、すなわち、斜めに起立した箱蓋にスケッチブックやカンバスを保持して、絵を描くことができる改良された画材箱を提供することを課題としている。
【０００８】
この発明は、絵を描き始めるときの組立や描き終わった後の収納時の操作が簡単で、箱の寸法より大きなカンバスやスケッチブックを取り付けることができるために箱を小型にすることができ、絵の具が付着して汚れる部分が収納時には箱の内側を向くために、持ち運び時に衣服を汚したり、バッグに収用したときにバッグの中を汚すことがない画材箱を提供することを課題としている。
【課題を解決するための手段】
【０００９】
この発明の画材箱は、箱本体１と、箱蓋２と、スライド体３と、箱蓋２を所望角度で保持する支え材４とを備えている。箱本体１は、上面が開口された平面矩形の偏平な箱で、その長手方向を使用時における前後方向とする。箱本体１の上面開口は、後縁側を箱本体１の後縁に枢着した箱蓋２で、又は当該箱蓋２と板状とした支え材４とで閉鎖される。スライド体３は、箱本体１の側辺又は底面に設けた前後方向のガイド１５に案内されて箱本体１の後方に移動可能に設けられる。
【００１０】
支え材４の後端（基端）は、スライド体３の後端に、箱本体１の後縁と平行な軸回りに揺動可能に枢着されている。支え材４の前端（先端）は、箱蓋２の前後方向の中間位置に、箱本体１の後縁と平行な軸回りに揺動可能に枢着されている。
【００１１】
この発明の画材箱は、箱本体１の上面開口を閉鎖している箱蓋２を開くと、スライド体３がガイド１５に案内されて箱本体１の後方へと移動し、その後端に基端を枢着した支え材４が斜めに起立して、開かれた箱蓋２を斜めの起立姿勢で保持する。起立した箱蓋２の角度は、スライド体３の後方への移動端を規定することにより、設定できる。
【００１２】
起立した箱蓋２に立てかけたカンバスやスケッチブックの重量は、箱本体の後方へと移動したスライド体３で支持される。箱蓋２を閉じると、スライド体３は箱本体の側面ないし下面に引き込まれた状態となり、支え材４は、箱本体１の上面ないし側面に倒伏した状態となる。
【００１３】
箱蓋２には、その上面又は下面（内面）に添って閉じた箱蓋の前後方向に摺動自在に昇降杆６が設けられ、この昇降杆の先端に箱本体１側に向いて突出する押さえ鍔６１が設けられている。必要に応じて、昇降杆６の摺動を固定する摘み付きの止めねじや、昇降杆６を後方（縮退方向）に付勢するゴム紐を設けることもてぎる。
【００１４】
箱蓋２の前後寸法と同程度の長さの昇降杆６を設けることにより、開いた箱蓋２の内側面に添わせて、箱本体又は箱蓋の後縁側に設けた受鍔２７と昇降杆の先端の押さえ鍔６１の間で、箱本体１の長手寸法の２倍近い寸法のカンバスやスケッチブックを起立状態で保持することができる。 
【００１５】
支え材４の基端とスライド体３との枢着位置ｃは、箱蓋２と箱本体１との枢着位置ａより後方とし、支え材４の先端と箱蓋２との枢着位置ｂは、箱蓋２と箱本体１との枢着位置ａより高い位置とする。ここで言う高さは、使用時、すなわち蓋を上にして箱本体を机上に置いた状態での高さである、箱蓋２と箱本体１との枢着位置ａは、できるだけ低くするのが好ましく、支え材４とスライド体３との枢着位置ｃより低くするのが好ましい。
【００１６】
この発明の画材箱は、箱蓋２を開いたときにスライド体３が箱本体１の後方にスライドし、そのスライド体の後端が机上に支持されて後方斜めに起立した箱蓋２に添設されたカンバスやスケッチブックを支持するので、大きなカンバスやスケッチブックを取り付けても箱が後方に倒れることがない。
【発明の効果】
【００１７】
この発明の画材箱は、箱の寸法より相当大きな寸法のカンバスやスケッチブックを取り付ける事ができる。例えば長辺側を前後方向としたＦ４の大きさの画材箱で、Ｆ１２縦のカンバスやスケッチブックを押さえ鍔で押さえた状態で取り付けることができる。
【００１８】
箱蓋の寸法より小さい寸法のカンバスやスケッチブックは、箱蓋の内側に納めて保持するか、箱蓋の中間に受鍔２７を係止する溝や突起を設けてそこに受鍔２７を係止することにより、受鍔と押さえ鍔とで上下縁を保持して取り付けることができる。
【００１９】
また、この発明の画材箱は、スライド体の移動端の位置により、起立した箱蓋の角度が決まるので、使用するたびに角度を調整する必要が無く、しかも好みの角度に設定することが容易にできる。更に、カンバスやスケッチブックの取付や描いた後の画材の収納も少ない操作で行うことができる。また、不使用時には、絵の具などが付着して汚れる箱蓋２の内側面や受鍔２７を箱の内側に収納でき、押さえ鍔６１も箱本体側を向くので、持ち運び時に衣服などを汚す虞も少ない。
【図面の簡単な説明】
【００２０】
【図１】実施例の箱蓋を閉じた状態で示す断面側面図
【図２】同平面図
【図３】実施例の箱蓋を開いた状態で示す断面側面図
【図４】図１の正面図
【図５】同底面図
【発明を実施するための形態】
【００２１】
以下、実施例を示す図面を参照して、この発明を更に説明する。図中、１は平面矩形の箱本体、２は箱蓋、３は板状のスライド体、４は凹形断面の棒状の支え材（以下、「支え杆」と言う。）である。
【００２２】
箱本体１は、上面が開口された浅い矩形の箱で、底板１１と、前縁板１２と、両側板１３と、後縁板１４と、ガイド材１５とを備えている。箱蓋２は、天板２１と、前縁材２２と、両側材２３と、後縁材２４と、ガイド杆２５とを備えている。箱本体の前縁板１２と両側板１３の高さｈは同じで、後縁板１４の高さｉはそれより低く、箱蓋の前縁材２２と両側材２３の高さｋは同じで、後縁材２４の高さｊは、箱本体の後縁板１４の高さを低くした分だけ高い。
【００２３】
箱蓋の後縁材２４の上記高くした部分には、その内側にカンバスの下辺を受ける溝を設けて、受鍔２７が形成されている。箱蓋の後縁材２４と箱本体の後縁板１４とは蝶番５ａで連結され、箱蓋２はこの蝶番回りに回動して開閉される。
【００２４】
箱本体のガイド材１５は、両側板１３の下部に固着した断面Ｌ形の杆材で、箱底面の内側へと延びるＬ形の下辺の部分と箱本体の底板１１との間に、スライド体３の両側縁を案内するガイドスリット１６が形成されている。
【００２５】
スライド体３は、箱本体の前後寸法（箱本体の長手方向の寸法）より若干長いスライド板３１とその後縁部上面に固着した蝶番取付台３２とで形成され、スライド板３１の幅方向両側部がガイドスリット１６に摺動自在に嵌装されている。スライド板３１には、幅方向中央部に前後方向の細長い溝状の長孔３３が設けられ、スライド体３を箱本体１に対して後方に移動したとき、箱本体の底面後端部に突設したストッパ１７と長孔３３の前端が当接することにより、その移動端が規定されるようになっている。
【００２６】
箱蓋のガイド杆２５は、断面が支え杆４と同形（正確には、凹の溝幅が支え杆４より僅かに狭い。）で、箱蓋の前半部の幅方向中央に凹形断面の溝を箱蓋側にして天板２１に固着されている。従って、天板２１の上面の幅方向中央に、ガイド杆２５の溝によって矩形のガイド孔２６が形成されている。支え杆４は、凹形断面の溝を箱蓋側に向けて、その先端が蝶番５ｂでガイド杆２５の後端に連結され、その基端が蝶番５ｃでスライド体の蝶番取付台３２に連結されている。蝶番５ａ、５ｂ及び５ｃの枢支軸は、全て箱本体１の後縁と平行である。
【００２７】
蝶番取付台３２は、箱蓋２を閉じたときに支え杆４が箱蓋の天板上面に添う高さを備えている。従って、箱蓋２を閉じた状態で、支え杆４と箱蓋の天板２１との間に、ガイド杆２５と天板２１との間に形成されたガイド孔２６に連通する収納溝４６が形成される。この収納溝４６の幅は、ガイド孔２６の幅より僅かに広い。
【００２８】
ガイド孔２６には、先端（前端）にカンバスを押さえる押さえ鍔６１を固定した昇降杆６が摺動自在に挿通されている。昇降杆６は、箱蓋２の前後寸法と等しい長さとしてあり、昇降杆６を縮退させて箱蓋２を閉じたとき、その基端側の部分が収納溝４６に収納される。収納溝４６の途中に、溝内に突出する突起４２が設けられており、縮退した昇降杆６のこの突起４２に対応する位置に、貫通孔６２が設けられている。昇降杆６を縮退して箱蓋２を閉じると、突起４２が貫通孔６２に挿通されて、押さえ鍔６１が箱蓋２の前面に引き付けられた昇降杆６の縮退状態が保持される。
【００２９】
箱蓋２の後縁と箱本体１の後縁とを枢着する蝶番（箱の蝶番）５ａは、低い位置に設け、支え杆４の基端とスライド体３の後縁とを枢着する蝶番５ｃは、前記箱の蝶番５ａより後方の位置に設け、支え杆４の先端と箱蓋２とを枢着する蝶番５ｂは、箱蓋２の前後方向中央より後縁側に偏倚した位置に設ける。蝶番５ａ、５ｂ、５ｃをこのような位置関係で設けることにより、箱蓋２の開閉時における支え杆４の起立角を小さくすることで、箱蓋２の開閉動作を円滑にすることができる。
【００３０】
また、スライド板３１の底面、特に後縁側底面にゴム脚３４を設け、更に前縁板１２に引手を取付けることも、箱蓋の開閉を円滑にする構造として有効である。なお、箱蓋の開閉を円滑にする点から言えば、スライド板３１に代えて、蝶番取付台３２の両側面に基端を固定して前方に延びる杆材を設けて、これを箱本体の両側板に設けたガイドで案内する構造がより好ましい。
【００３１】
図には示してないが、箱本体１の側板の一方に手提げを設けて持ち運べるようにし、箱本体と箱蓋の前面には箱蓋の閉じ状態を保持する留め金を設ける。箱本体１には、絵の具、筆、油壺や水筒などを収納し、箱蓋２の内側にはパレットを収納する。これらのことは、従来の絵の具箱と同様である。
【００３２】
絵を描くときは、箱の底面を下にして机の上などに置き、留め金を外して箱蓋２を開く。箱蓋２の開き動作と連動してスライド体３が箱本体１に対して後方に移動すると共に支え杆４が起立方向に揺動する。そして、スライド体３の移動ストローク橋において、内側面を斜め前上方に向けた起立状態の箱蓋２が支え杆４で支えられる。
【００３３】
箱蓋２を起立すると、支え杆４が箱蓋２の上面から離れるので、突起４２と貫通孔６２の係合が外れて昇降杆６が移動可能になる。そこで押さえ鍔６１を上方に引き上げ、開いた箱蓋２の内側面に添わせたカンバスを当該箱蓋の下辺の受鍔２７と押さえ鍔６１とでを挟んで保持する。開いた箱蓋２の上下寸法（箱の長手寸法）より小さい寸法のカンバスは、開いた箱蓋に単に立てかけた状態でも安定に保持することができる。
【００３４】
絵を描き終わったら、カンバスを外して押さえ鍔を下げ、画材を箱に収納して箱蓋２を閉じて留め金を留める。箱蓋２を閉じると支え杆４が箱蓋２の上面に添設され、縮退した昇降杆６の基端側の部分は収納溝４６に収納され、突起４２が貫通孔６２に挿入されて昇降杆６の移動が阻止される。
【００３５】
箱蓋２を閉じたときには、カンバスを保持する受鍔２７は箱内に収容され、押さえ鍔６１は箱の前面に近接して箱側を向くから、最も汚れる受鍔に付いた絵の具が絵の具箱の持ち運び時や収容時に衣服などを汚すことが無く、また絵の具の付きやすい押さえ鍔に付いた絵の具が衣服などに付着する虞も少ない。
【００３６】
上記の実施例では、支え材４を棒状のものとしたが、板状のものとしてその前縁と後縁をそれぞれ箱蓋２の上面と蝶番取付台３２の上辺とに蝶番で連結した構造とすることもできる。この場合、箱蓋２の後半側に板状とした支え材と同形の切欠を設けて、箱蓋を閉じたときに箱本体の上面開口が箱蓋と蓋蓋に設けた切欠部に倒伏してくる支え材とで閉鎖される構造とすることもできる。更に他の構造として、支え材を箱蓋と蝶番取付台の両側面に設けたピン相互を繋ぐ２枚の帯板で形成することもできる。
【００３７】
また、上記の実施例では、箱蓋２の天板上に固着したガイド杆２５で昇降杆６をガイドするようにしたが、箱蓋の天板の内側に昇降杆のガイドを設け、箱蓋の前縁材に昇降杆を通す貫通孔を設けて、当該貫通孔を通した昇降杆の先端に押さえ鍔を設けるようにすることもできる。また、受鍔２７を着脱自在に設け、箱蓋２の中間の位置に外した受鍔２７を係止する係止具を設けて、寸法の小さいカンバスを使用するときに受鍔２７を高い位置に付け替えて当該受鍔と押さえ鍔とでカンバスを保持するようにすることもできる。
【符号の説明】
【００３８】
１  箱本体
２  箱蓋
３  スライド体
４  支え材
６  昇降杆
１５  ガイド
２７  受鍔
６１  押さえ鍔
ａ  箱蓋と箱本体との枢着位置
ｂ  支え材の先端と箱蓋との枢着位置
ｃ  支え材の基端とスライド体との枢着位置
【図１】
2014210392.tif 000003
【図２】
2014210392.tif 000004
【図３】
2014210392.tif 000005
【図４】
2014210392.tif 000006
【図５】
2014210392.tif 000007